【手続補正書】
【提出日】平成19年10月19日(2007.10.19)
【手続補正１】
【補正対象書類名】明細書
【補正対象項目名】発明の名称
【補正方法】変更
【補正の内容】
【発明の名称】デジタル情報入力システム
【手続補正２】
【補正対象書類名】明細書
【補正対象項目名】特許請求の範囲
【補正方法】変更
【補正の内容】
【特許請求の範囲】
【請求項１】  情報をデジタル化する情報生成装置と、該情報生成装置からの情報を収集して処理し、保存し、管理する情報処理装置を備えたデジタル情報入力システムにおいて、
前記情報生成装置は各種の情報を示すイベントを発生するイベント発生手段を備え、
前記情報処理装置は、前記イベントを受けて前記情報生成装置へのアクセスを制御するイベント制御手段を備え、
前記情報処理装置が、前記情報生成装置に対してアクセスが必要な場合は、前記イベント発生手段により前記情報処理装置が動作の分岐を識別可能なイベントを生成することを特徴とするデジタル情報入力システム。
【請求項２】  前記情報生成装置は、内蔵する第１の情報記憶装置及び着脱可能な第２の記憶装置の少なくとも一方を有するものであり、
前記第１の記憶装置及び第２の記憶装置に記録されたデータが前記情報処理装置及び前記情報生成装置のいずれか一方によって消去され、変更され、追加された場合に、前記イベント発生手段が情報の変化を示す記録情報ＤａｔａＵｐｄａｔｅイベントを生成し、
前記情報処理装置は、前記記録情報ＤａｔａＵｐｄａｔｅイベントを受けて前記情報生成装置内部の前記第１の情報記憶装置若しくは第２の記憶装置に記憶したデータを読み込む手段を有するものであることを特徴とする請求項１記載のデジタル情報入力システム。
【請求項３】  前記情報生成装置は、内蔵する第１の情報記憶装置及び着脱可能な第２の記憶装置の少なくとも一方と、前記第１の記憶装置及び第２の記憶装置に記録されたデータが前記情報処理装置及び前記情報生成装置のいずれか一方によって消去され、変更され、追加された場合に、前記イベント発生手段が生成する、情報の変化を示す記録情報ＤａｔａＵｐｄａｔｅイベントに前記消去され、変更され、追加されたデータを特定するデータ特定パラメータを付加する手段とを備えたものであり、
前記情報処理装置は、前記データ特定パラメータが付加された記録情報ＤａｔａＵｐｄａｔｅイベントを受けて、前記特定されたデータのみを更新するデータ更新手段を備えたものであることを特徴とする請求項１又は２記載のデジタル情報入力システム。
【請求項４】  前記情報処理装置は、該情報処理装置若しくは前記情報生成装置のいずれか一方によって、前記情報生成装置内部に情報を入力するのための各種設定に変更がされた場合に、前記イベント発生手段により生成された情報入力設定ＤａｔａＵｐｄａｔｅイベントを受けて前記情報生成装置内部の前記撮影設定を読み込む手段を備えたことを特徴とする請求項１乃至３のいずれか１項に記載のデジタル情報入力システム。
【請求項５】  前記情報生成装置は、前記情報入力のための各種設定に変更がなされた場合に、前記イベント発生手段によって、情報入力のための各種設定に変更を示す情報入力設定イベントが生成され、該情報入力設定イベントにどの撮影設定項目に変更が生じたかを特定できる項目特定パラメータを付加する手段を備えたものであり、
前記情報処理装置は、前記項目特定パラメータが付加された前記情報入力設定イベントを受けて、前記特定された撮影設定項目のみを読み込む撮影設定項目読込み手段を備えたことを特徴とする請求項４記載のデジタル情報入力システム。
【手続補正３】
【補正対象書類名】明細書
【補正対象項目名】０００１
【補正方法】変更
【補正の内容】
【０００１】
【発明の属する技術分野】
本発明は、動画や静止画を撮影するデジタルカメラシステム等のデジタル情報入力システムに関する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５７
【補正方法】変更
【補正の内容】
【００５７】
デジタルカメラ１００はレンズ、ＣＣＤ、駆動回路等を含んだ光学ユニット１０５、画像データ等を処理する信号処理回路１０４、ＣＰＵ等の演算装置１０３、ＤＲＡＭ等の１次記憶装置１０６、内蔵フラッシュＲＯＭ等の２次記憶装置１０７、操作部材１０８、ＬＣＤ液晶等の表示装置１０９、プログラム格納等に使用されるＲＯＭ等の読み出し専用メモリー１１０、コンパクトフラッシュ（登録商標）メモリーカード等の着脱可能記録媒体１１１、ＰＣとの接続を管理する通信制御装置１０２等から構成される。
【手続補正４２】
【補正対象書類名】明細書
【補正対象項目名】００５８
【補正方法】変更
【補正の内容】
【００５８】
デジタルカメラの種類によっては着脱可能な記憶媒体１１１だけを備えてもよいし、着脱不可能な内蔵フラッシュＲＯＭ等の２次記憶装置１０７だけを使用するものであってもよい。
【手続補正４３】
【補正対象書類名】明細書
【補正対象項目名】００６０
【補正方法】変更
【補正の内容】
【００６０】
デジタルカメラ２０１をＰＣにＵＳＢ接続すると、ＰＣ上にアプリケーションが起動し、デジタルカメラ２０１の内蔵フラッシュＲＯＭ等の２次記憶装置１０７若しくは着脱可能記録媒体１１１内に記録されている画像データをＰＣ上に転送し、サムネール表示する。すなわち、アプリケーション２０２は、接続されているデジタルカメラが内部に保持しているデータを参照して表示に活用しており、このデジタルカメラ内部のデータに変更が加えられた時点で、この表示を更新する。
【手続補正４４】
【補正対象書類名】明細書
【補正対象項目名】０１４２
【補正方法】変更
【補正の内容】
【０１４２】
【発明の効果】
本発明によれば、動画、静止画を主に撮影するデジタルカメラシステム等のデジタル情報入力システムにおいて、特に、ＰＣ（パーソナルコンピュータ）とデジタルカメラ等の入力装置からなるシステムを構築する際に、デジタルカメラのような入力装置と、ＰＣのような処理装置を接続していることによる制約を最小限にできる。従って、ＰＣ上のアプリケーションからデジタルカメラを操作して画像等のデータを入力したり、表示したり、またはデジタルカメラ本体をユーザーが操作してＰＣ上のアプリケーションに入力したり表示したりすることがシームレスに扱えることとなる。